(57)【要約】      （修正有）【課題】ワイシャツをハンガーに掛けた状態でシワを防止してたたみ保形することができるワイシャツたたみハンガーを提供する。【解決手段】平板状の中敷きの上部中央に襟足立ち上がり部を備え、両左右にワイシャツの肩部の傾斜を備え、収納可能な襟の型崩れ防止芯凹４、襟の型崩れ防止芯凸、フック３、伸縮板７を備え、また、中敷きの裏面から押え板を設置することで、シワを防ぎ形状を保てることを特徴とするワイシャツたたみハンガー。【選択図】図２
2018051280.tif 000002
【特許請求の範囲】
【請求項１】
平板状の左右対称の五角形の中敷きを設け、頂点から左右に開く辺はワイシャツの肩部の傾斜を備えており、左右両側辺は平行に伸び降り、垂直に底辺に接した形状で、頂点にあたる部分には襟足立ち上がり状の襟の高さを有した襟足立ち上がり部を備え、襟足の立ち上がり部には貫通した穴を有し、ハンガーとして使用する時に使うフックを備え、フックの反対側は貫通した穴を有し、襟の型崩れ防止の帯状の芯２枚を備え、そのうち１枚は長辺に垂直な方向に複数の貫通した切込みを帯状の短辺端付近から他端に向って複数有し、切込みの入った側の反対側の端付近には貫通した穴を有し、もう１枚は前記の切込みに差し込み可能な突起部を短辺部に備え、突起部の反対側の端付近に貫通した穴を有し、襟足の立ち上がり部に貫通した穴、フックの反対側に貫通した穴、襟の型崩れ防止の帯状の芯２枚の貫通した穴に留め具を設置することにより３６０度の稼働を可能にし、中敷きの上部には肩部の傾斜の下部を延長することが可能な伸縮板を備え、伸縮板には長辺に平行な貫通した細長い穴を設け、中敷きに設けた伸縮板押さえ部と噛合わせることで、伸縮板の伸び縮みを可能にし、中敷きより一回り大きい押え板を設け、押え板の側辺付近には貫通した切込みが両脇一対、または、複数入っており、中敷きにワイシャツを掛けた状態でたたんだものを中敷きの裏面から押え板で押えながら切込みで挟みこむことでシワを防止し、保形できる。
以上を特徴とするワイシャツたたみハンガー。
【発明の詳細な説明】
【技術分野】
【０００１】  本発明は、ワイシャツをハンガーに掛けた状態で、シワを防止してたたみ保形することができるワイシャツたたみハンガーに関するものである。
【背景技術】
【０００２】  従来、シワを防止して保形するには平板状の中敷き上にワイシャツをたたみ板状蓋で押さえ付けワイシャツを保形していた（特許文献１参照）。
また、ハンガー本体に衣類を折りたたむ機能を設けたものがあった（特許文献２参照）。
【先行技術文献】
【０００３】
【特許文献１】  特開平８−１９２８８１号公報
【特許文献２】  特開２０１１−６７５７７号公報
【発明の概要】
【発明が解決しようとする課題】
【０００４】  参考文献に示される先行文献は、平板状の中敷きの上に中敷きと同じ大きさにたたむことに注意を要した。
また、ハンガーに折りたたむ機能を設けたものは、襟崩れを防ぐことが困難であり、スーツケースなど、圧迫される場合、たたんだ衣類のシワを防止して保形するのが困難であった。
通常、複数のワイシャツをたたみ収納する場合、シワを伸ばしながらたたみ、サイズが均一になるよう注意を要し、また、スーツケースなど、圧迫される場合などは襟の崩れやシワ付きが気になった。
本発明は、以上の問題を解決するためになされたものである。
【問題を解決するための手段】
【０００５】  平板状の左右対称の五角形の中敷きを設け、頂点から左右に開く辺はワイシャツの肩部の傾斜を備えており、左右両側辺は平行に伸び降り、垂直に底辺に接した形状で、頂点にあたる部分には襟足立ち上がり状の襟の高さを有した襟足立ち上がり部を備え、襟足の立ち上がり部には貫通した穴を有し、ハンガーとして使用できるフックを備え、フックの反対側は貫通した穴を有し、襟の型崩れ防止の帯状の芯２枚を備え、そのうち１枚は長辺に垂直な方向に複数の貫通した切込みを帯状の短辺端付近から他端に向って複数有し、切込みの入った側の反対側の端付近には貫通した穴を有し、もう１枚は前記の貫通した切込みに差し込み可能な突起部を短辺部に備え、突起部の反対側の端付近に貫通した穴を有し、襟足の立ち上がり部に貫通した穴、フックの反対側に貫通した穴、襟の型崩れ防止の帯状の芯２枚の貫通した穴に留め具を設置することにより３６０度の稼働が可能で、中敷きの上部には肩部の傾斜の下部を延長することが可能な伸縮板を備え、伸縮板は長辺に平行な貫通した細長い穴を設け、中敷きに設けた伸縮板押さえ部と噛合わせることで、伸縮板の伸び縮みを可能にし、中敷きより一回り大きい押え板を設け、押え板の側辺付近には貫通した切込みが両脇一対、または、複数入っており、中敷きにワイシャツを掛けた状態でたたんだものを中敷きの裏面から押え板で押えながら切込みで挟み込むことでシワを防止し保形できる。
以上を特徴とするワイシャツたたみハンガーである。
【発明の効果】
【０００６】  従来、ワイシャツをたたんで収納する際は同じ大きさにたたむことに注意を要したが、容易に同じ大きさにたため、スーツケースなど、圧迫される場合のシワを防止し、襟崩れを防ぐことができる。
押え板をＡ４サイズにすることで、購入後、未開封のワイシャツと同じサイズに揃えることができ、仕事で頻繁に使われるＡ４サイズの書類とも揃えられ、スッキリ収納することが可能である。
ホテルや車中など、ワイシャツをすぐ着られる状態にハンガーとして使える。
【図面の簡単な説明】
【０００７】
【図１】  本発明の非使用時の状態を示した正面図である。
【図２】  本発明のフックを出し、襟の型崩れ防止の帯状の芯を開き、伸縮板を出した正面図である。
【図３】  本発明の押え板の正面図である。
【図４】  本発明の押え板の使用時の状態を示した底面図である。
【図５】  本発明の収納時の実施例を示した斜視図である。
【図６】  本発明のハンガー使用の実施例を示した斜視図である。
【発明を実施するための形態】
【０００８】  以下、本発明の実施の形態を説明する。
平板状の左右対称の五角形の中敷き（１）を設け、頂点から左右に開く辺はワイシャツの肩部の傾斜を備えた辺（１Ａ）であり、左右の両側辺（１Ｂ）は平行に伸び降り、底辺（１Ｃ）に垂直に接した形状で、中敷き（１）の頂点にあたる部分に襟足立ち上がり状の襟の高さを有した襟足の立ち上がり部（２）を備え、襟足の立ち上がり部（２）には襟足の立ち上がり部に貫通した穴（２Ａ）を有している。
【０００９】  ハンガーとして使用するときに使うフック（３）を備え、フックの反対側に貫通した穴（３Ａ）を有している。
【００１０】  襟の型崩れ防止の帯状の芯２枚を備え、そのうち１枚は、長辺に垂直な複数の貫通した切込み（４Ｂ）を帯状の短辺端付近から他端に向って複数有し、切込み（４Ｂ）の入った側の反対側の端付近に貫通した穴（４Ａ）を有する襟の型崩れ防止芯凹（４）、もう１枚は、襟の型崩れ防止芯凹の貫通した切込み（４Ｂ）に差し込み可能な突起部（５Ｃ）を短辺部に備え、突起部（５Ｃ）の反対側の端付近に貫通した穴（５Ａ）を有する襟の型崩れ防止芯凸（５）。
【００１１】  襟足の立ち上がり部に貫通した穴（２Ａ）、フックの反対側に貫通した穴（３Ａ）、襟の型崩れ防止の帯状の芯２枚（４）、襟の型崩れ防止芯凸（５）の貫通した穴（４Ａ）、襟の型崩れ防止芯凸に貫通した穴（５Ａ）に留め具（６）を設置することにより３６０度の稼働が可能になる。
【００１２】  中敷き（１）の上部には肩部の傾斜（１Ａ）の下部を延長することが可能な伸縮板（７）を備え、伸縮板（７）は長辺に平行な貫通した細長い穴（７Ａ）を設け、中敷き（１）に設けた伸縮板押え部（８）と噛合わせることで、伸縮板（７）の伸び縮みを可能にした。
【００１３】  中敷き（１）より一回り大きい押え板（９）を設け、押え板（９）の側辺付近には、貫通した切込み（９Ｂ）が両脇一対、または、複数入っており、中敷き（１）にワイシャツ（１０）を掛けた状態でたたんだものを中敷き（１）の裏面から押え板（９）で押え、切込み（９Ｂ）で挟み込むことでシワを防止し、保形する。
本発明は以上のような構成であり、以下これを実際に使用する場合の諸形態を説明する。
ワイシャツをたたんでスーツケースなどに収納する場合、フック（３）は中敷き（１）に重なった状態に収納し、襟の型崩れ防止芯凹（４）と襟の型崩れ防止芯凸（５）は中敷き（１）から１８０度、上に出た状態、すなわち、留め具（６）を挟んで反対側に配置する。
伸縮板（７）は中敷き（１）に収納した状態で使用する。
中敷き（１）の襟足の立ち上がり部（２）の裏面に、ワイシャツ（１０）の襟内側中央部を合わせ、ワイシャツ（１０）を中敷き（１）に掛けた状態にして、ワイシャツ（１０）の一番上のボタン（１１）を留める。
上に出た状態の襟の型崩れ防止芯凹（４）と襟の型崩れ防止芯凸（５）を左右に開く形にワイシャツの襟の内側に挿入し、襟のサイズに合わせて、切込み（４Ｂ）に突起部（５Ｃ）を差し込み固定することで襟崩れを防ぐ。
他のワイシャツのボタン（１１）を留め、肩部の傾斜を備えた辺（１Ａ）にワイシャツ（１０）の肩を合わせて中敷き（１）に掛けた状態で、裏返し、ワイシャツ（１０）の背面を上にして平に整え、中敷き（１）の側辺（１Ｂ）からはみ出したワイシャツ（１０）を側辺（１Ｂ）に沿って、中敷き（１）の上に織り込み、ワイシャツ（１０）の裾部は中敷きの底辺（１Ｃ）に沿って中敷き（１）の上に織り込み、さらに、中敷き（１）からはみ出す丈の部分は中敷き（１）のサイズに折り返し、中敷き（１）のサイズと同等とすることで、他のシャツも、本発明を使用することで、サイズが容易に揃えられる。
中敷き（１）に沿ってたたまれたワイシャツ（１０）を背面から押え板（９）で押えながら、押え板（９）に設けた押え板の切込み（９Ｂ）で挟み込むことでシワを防止し、保形することができる。
また、ワイシャツ（１０）をすぐに着られるようにするときや、折シワをなるべく取りたい場合は、押え板（９）を外し、中敷き（１）上部に備えた伸縮板（７）を左右に引き出し、中敷き（１）の上部に留め具（６）で設置したフック（３）を１８０度回転させて出し、ハンガー状にしてワイシャツを掛けることができる。
【符号の説明】
【００１４】１  中敷き
１Ａ  肩部の傾斜を備えた辺
１Ｂ  左右の両側辺
１Ｃ  底辺
２  襟足の立ち上がり部
２Ａ  襟足の立ち上がり部に貫通した穴
３  フック
３Ａ  フックの反対側に貫通した穴
４  襟の型崩れ防止芯凹
４Ａ  襟の型崩れ防止芯凹に貫通した穴
４Ｂ  襟の型崩れ防止芯凹に貫通した切込み
５  襟の型崩れ防止芯凸
５Ａ  襟の型崩れ防止芯凸に貫通した穴
５Ｃ  襟の型崩れ防止芯凸の差し込み可能な突起部
６  留め具
７  伸縮板
８  伸縮板押え部
９  押え板
９Ｂ  押え板の切込み
１０  ワイシャツ
１１  ボタン
【図１】
2018051280.tif 000003
【図２】
2018051280.tif 000004
【図３】
2018051280.tif 000005
【図４】
2018051280.tif 000006
【図５】
2018051280.tif 000007
【図６】
2018051280.tif 000008